(57)【要約】【課題】操作性が良好な画像表示装置を提供する。【解決手段】表示面上に設けられたタッチパネル上の接触操作を検出する操作検出部と、画像の再生を行う画像再生部に対し映像信号を出力する出力部と、前記出力部により前記映像信号が出力される場合に前記表示面の表示の輝度を低減する表示制御部と、前記表示面の表示の輝度が低減された状態で前記タッチパネル上の操作可能領域を認識させる認識部材とを備える。【選択図】図１
2013168093.tif 000002
【特許請求の範囲】
【請求項１】
表示面上に設けられたタッチパネル上の接触操作を検出する操作検出部と、
画像の再生を行う画像再生部に対し映像信号を出力する出力部と、
前記出力部により前記映像信号が出力される場合に前記表示面の表示の輝度を低減する表示制御部と、
前記表示面の表示の輝度が低減された状態で前記タッチパネル上の操作可能領域を認識させる認識部材と
を備えることを特徴とする画像表示装置。
【請求項２】
前記画像再生部は、外部の表示装置であることを特徴とする請求項１記載の画像表示装置。
【請求項３】
前記画像再生部は、画像の投映を行う投映部であることを特徴とする請求項１記載の画像表示装置。
【請求項４】
前記画像再生部に対する前記映像信号の出力を検出する出力検出部を備え、
前記表示制御部は、前記出力検出部により前記映像信号の出力が検出された場合に、前記表示面の表示の輝度を低減することを特徴とする請求項１〜３の何れか一項に記載の画像表示装置。
【請求項５】
前記出力検出部により映像信号の出力が検出された場合には、前記タッチパネル上の操作に対応する処理を前記接触操作が終了された後に行なう操作制御部を備えることを特徴とする請求項４に記載の画像表示装置。
【請求項６】
前記認識部材は、前記表示面の下層に設けられた触覚刺激デバイスであることを特徴とする請求項１〜５の何れか一項に記載の画像表示装置。
【請求項７】
前記触覚刺激デバイスは、前記出力検出部により映像信号の出力が検出された場合、かつ、前記タッチパネルにおける前記触覚刺激デバイスの位置に対応する位置がタッチされた場合に作動することを特徴とする請求項６記載の画像表示装置。
【請求項８】
前記認識部材は、前記表示部の表示面上に設けられた凹凸形状であることを特徴とする請求項１〜５の何れか一項に記載の画像表示装置。
【請求項９】
前記出力検出部により映像信号の出力が検出された場合に、前記タッチパネルの操作可能領域を変更することを特徴とする請求項４〜８の何れか一項に記載の画像表示装置。
【請求項１０】
前記タッチパネルの操作可能領域は、前記認識部材の周囲に配置されることを特徴とする請求項９記載の画像表示装置。
【請求項１１】
前記表示の輝度の低減は、前記表示の消灯を含むことを特徴とする請求項１〜１０の何れか一項に記載の画像表示装置。
【請求項１２】
表示面上に設けられたタッチパネル上の接触操作を検出する操作検出部と、
前記表示面の表示の視認性が低下する状態を判定する判定部と、
前記表示部の表示面の下層に設けられ、前記判定部により視認性が低下する状態であると判定された場合、かつ、前記タッチパネルにおける触覚刺激デバイスの位置に対応する位置がタッチされた場合に作動する触覚刺激デバイスと
を備えることを特徴とする画像表示装置。
【発明の詳細な説明】
【技術分野】
【０００１】
本発明は、画像表示装置に関するものである。
【背景技術】
【０００２】
従来、タッチパネル機能を有する表示画面を備えた画像表示装置が知られている（例えば、特許文献１参照）。この画像表示装置によれば、表示画面に表示されたアイコンをタッチすることにより、アイコンにより示される処理を行うことができる。
【先行技術文献】
【特許文献】
【０００３】
【特許文献１】特開２００７−１５８９１９号公報
【発明の概要】
【発明が解決しようとする課題】
【０００４】
しかし、この画像表示装置においては、表示画面が消灯した場合等に操作者はアイコンを視認することができず操作が行い難いという問題があった。
本発明の目的は、操作性が良好な画像表示装置を提供することである。
【課題を解決するための手段】
【０００５】
本発明の画像表示装置は、表示面上に設けられたタッチパネル上の接触操作を検出する操作検出部と、画像の再生を行う画像再生部に対し映像信号を出力する出力部と、前記出力部により前記映像信号が出力される場合に前記表示面の表示の輝度を低減する表示制御部と、前記表示面の表示の輝度が低減された状態で前記タッチパネル上の操作可能領域を認識させる認識部材とを備えることを特徴とする。
【発明の効果】
【０００６】
本発明によれば、操作性が良好な画像表示装置を提供することができる。
【図面の簡単な説明】
【０００７】
【図１】第１の実施の形態に係るカメラのシステム構成を示すブロック図である。
【図２】第１の実施の形態に係るカメラの処理を示すフローチャートである。
【図３】第１の実施の形態に係るカメラのＬＣＤ表示部の表示を示す図である。
【図４】第１の実施の形態に係る外部モニタの液晶パネルの表示を示す図である。
【図５】第１の実施の形態に係るカメラのＬＣＤ表示部における十字キーの位置を示す図である。
【図６】第１の実施の形態に係る外部モニタの液晶パネルの表示を示す図である。
【図７】第２の実施の形態に係るカメラの処理を示すフローチャートである。
【図８】実施の形態に係るカメラのＬＣＤ表示部の表示及び触覚刺激デバイスの位置を示す図である。
【発明を実施するための形態】
【０００８】
以下、図面を参照して、本発明の第１の実施の形態に係る撮像装置であるカメラについて説明する。図１は、第１の実施の形態に係るカメラのシステム構成を示すブロック図である。図１に示すように、カメラ２は、カメラ２の各部を統括的に制御する制御部４を備えている。制御部４には、被写体を撮像する撮像部８、撮像部８から出力された撮像信号から生成された画像データを記憶するメモリ１０、制御部４が実行する撮影処理、投映処理、画像再生処理等のプログラムを記憶するプログラムメモリ１１、撮像部８により撮像された画像の画像データ等を記憶するメモリカード１２を装着するメモリーカードスロット１３、メモリカード１２に記憶された画像データに基づく画像を投映する投映部１４、カメラ２の背面部に配置され撮像部８により撮像された画像等を表示するＬＣＤ表示部１６、ＬＣＤ表示部１６に表示されるアイコンを指等でタッチされたことを検出するタッチパネル１７、絶縁層（ＬＣＤ表示部１６）とその下層に設けられた図示しない導電層により構成され、導電層に所定の電圧信号を出力することにより絶縁層（ＬＣＤ表示部１６）に接触した指に物理的な感触を発生させる触覚刺激デバイス１８、操作部１９及び出力端子２０が接続されている。
【０００９】
ここで、撮像部８は、撮影レンズ２１、イメージセンサ２２、レンズ駆動回路２４及び撮影制御回路２６を備えている。イメージセンサ２２は、ＣＣＤやＣＭＯＳ等の撮像素子により構成される。撮影レンズ２１は、イメージセンサ２２の撮像面上に被写体像を結像させる。撮影制御回路２６は、制御部４からの指令によりイメージセンサ２２およびレンズ駆動回路２４を駆動制御する。即ち、撮影制御回路２６は、制御部４からの撮影開始指示に応じてイメージセンサ２２に撮像を開始させ、イメージセンサ２２から読出した撮像信号を制御部４へ送出する。レンズ駆動回路２４は、撮影制御回路２６から出力されるフォーカス調節信号に基づいて、撮影レンズ２１を構成するフォーカスレンズ（不図示）を光軸方向に移動させる。
【００１０】
投映部１４は、投映レンズ３０、液晶パネル４６、ＬＥＤ光源３４及び投映制御回路３６を備えている。投映部１４は、投映レンズ３０を介して液晶パネル４６に表示された画像の投映を行う。投映制御回路３６は、制御部４から出力される投映指令に応じてＬＥＤ光源３４及び液晶パネル４６の制御を行う。
【００１１】
また、操作部１９は、電源スイッチ（不図示）、レリーズボタン４７（図３参照）及び投映部１４により画像を投映する投映モードを設定する投映ボタン（不図示）等を備えている。また、出力端子２０は、カメラ２に外部モニタ４２を接続するための端子であり、カメラ２と外部モニタ４２とは、ＵＳＢケーブル４４を介して接続される。
【００１２】
次に、図２に示すフローチャートを参照して第１の実施の形態に係るカメラ２の処理について説明する。まず、電源スイッチがオンにされると、制御部４は、プログラムメモリ１１からアイコンの画像データを読み出し、アイコンをＬＣＤ表示部１６に表示する。次に、制御部４は、ＬＣＤ表示部１６に表示された画像再生アイコン１６ａ（図３参照）がタッチされると、メモリカード１２から画像データを読み出して画像データに基づく画像をＬＣＤ表示部１６に表示する。これにより、画像の上にアイコンを重ねた画面、即ち、図３に示すような画面がＬＣＤ表示部１６に表示される。ここで、タッチパネル１７は、ＬＣＤ表示部１６の全領域に配置されているため、タッチパネル１７により、操作者によるＬＣＤ表示部１６の全領域に対する接触操作を検出することができる。
【００１３】
次に、制御部４は、ＵＳＢケーブル４４を介してカメラ２に外部モニタ４２が接続されたか否かを判定する（ステップＳ１）。例えば、制御部４は、出力端子２０及びＵＳＢケーブル４４を介してカメラ２と外部モニタ４２との間の通信が成立した場合、外部モニタ４２が接続されたと判定する。
【００１４】
外部モニタ４２が接続されると（ステップＳ１：Ｙｅｓ）、制御部４は、ＬＣＤ表示部１６に表示されている画像の画像データに基づく映像信号を出力端子２０及びＵＳＢケーブル４４を介して外部モニタ４２に対して出力する（ステップＳ２）。外部モニタ４２は、図４に示すように、受信した映像信号に基づく画像を液晶パネル４６に表示する。
【００１５】
制御部４は、映像信号の出力を検出すると、ＬＣＤ表示部１６の液晶表示の輝度を低下させて消費電力の抑制を図る省電力モードに変更する（ステップＳ３）。これにより、操作者は、ＬＣＤ表示部１６において図３に示す画面を視認することができなくなる。
【００１６】
次に、制御部４は、タッチパネル１７における接触操作の検出方法を変更する（ステップＳ４）。例えば、操作者の指がＬＣＤ表示部１６から放れた時に指の接触操作を検出するように変更する。これにより、操作者が後述する十字キー５０の位置を指でタッチした時には接触操作の検出は行われず、十字キー５０の位置から指を放した時に接触操作の検出が行われる。
【００１７】
次に、制御部４は、ＬＣＤ表示部１６においてタッチパネル１７により操作を行うことができる操作可能領域を変更する（ステップＳ５）。例えば、操作可能領域を図５に示す十字キー５０の位置する領域のみに変更する。なお、この場合には、ステップ３において液晶表示の輝度を低減しているため、操作者はＬＣＤ表示部１６において十字キー５０を視認することができない。これにより、ＬＣＤ表示部１６において十字キー５０の位置する領域において接触している指が放された場合にのみ操作が行われる。この十字キー５０は、右方向部５２、左方向部５４、上方向部５６、下方向部５８及び中央部６０の５つの操作領域から構成されている。
【００１８】
次に、制御部４は、十字キー５０の中央部６０の位置の下層に設けられた触覚刺激デバイス１８をオンにする（ステップＳ６）。触覚刺激デバイス１８は、図示しない圧力センサを備え、この圧力センサにより指による圧力を検出すると、圧力情報に基づいて決定された電圧及び周波数に基づく交流電圧信号をＬＣＤ表示部１６の下層に設けられた導電層に対して出力する。このため、操作者がＬＣＤ表示部１６の触覚刺激デバイス１８が設けられている位置を指でタッチすると、操作者の指に交流電圧信号に基づく電圧が印加され、操作者は指先に摩擦感を感じる。これにより、操作者は触覚刺激デバイス１８の位置を基準にして十字キー５０の位置を認識することができる。
【００１９】
この状態において、十字キー５０が操作されると第１の制御が行われる（ステップＳ７）。例えば、操作者がＬＣＤ表示部１６の右方向部５２の位置をタッチして放すと、制御部４は、次の画像データに基づく映像信号を出力端子２０及びＵＳＢケーブル４４等を介して外部モニタ４２に対して出力する。これにより、外部モニタ４２の液晶パネル４６には次の画像が表示される。また、左方向部５４の位置をタッチして放すと、同様にして外部モニタ４２の液晶パネル４６に前の画像が表示される。
【００２０】
次に、制御部４は、ＬＣＤ表示部１６において十字キー５０の中央部６０の位置がタッチされたか否かの判定を行う（ステップＳ８）。即ち、制御部４は、十字キー５０の中央部６０の位置において接触している指が放されたか否かの判定を行う。十字キー５０の中央部６０の位置において接触している指が放されると（ステップＳ８：Ｙｅｓ）、外部モニタ４２の液晶パネル４６の表示が切り換えられる（ステップＳ９）。即ち、制御部４は、アイコン及びカーソルの画像データを出力端子２０及びＵＳＢケーブル４４を介して外部モニタ４２に対して出力する。これにより、図６に示すように、外部モニタ４２の液晶パネル４６において画像に重ねてアイコン及びカーソルが表示される。
【００２１】
この状態において、十字キー５０が操作されると第２の制御が行われる（ステップＳ１０）。例えば、操作者がＬＣＤ表示部１６の右方向部５２の位置をタッチして放すと、カーソルが右方向に移動する。また、左方向部５４の位置をタッチして放すと、カーソルが左方向に移動する。同様にして、上方向部５６の位置をタッチして放すと、カーソルが上方向に移動し、下方向部５８の位置をタッチして放すと、カーソルが下方向に移動する。このため、操作者は、十字キー５０の右方向部５２、左方向部５４、上方向部５６及び下方向部５８を指でタッチすることにより液晶パネル４６面内においてカーソルを移動させることができる。
【００２２】
この第２の制御において、操作者が十字キー５０を操作して、液晶パネル４６面に表示されたカーソルを所望のアイコンの位置に移動させると、そのアイコンが選択される。次に、十字キー５０の中央部６０を指でタッチして放すと、選択されたアイコンにより表示される処理が行われる。例えば、操作者がサムネイル表示アイコン４６ａを選択して十字キー５０の中央部６０をタッチして指を放すと、サムネイル画像のデータが外部モニタ４２に対して出力される。これにより、外部モニタ４２においてサムネイル一覧画面が液晶表示部８に表示される。
【００２３】
次に、制御部４は、液晶パネル４６の表示を元の状態に復帰する操作が行われたか否かの判定を行う（ステップＳ１１）。例えば、ＩＮＦＯアイコン４６ｂが選択された状態において、十字キー５０の中央部６０の位置において接触している指が放されたか否かの判定を行う。液晶パネル４６の表示を元の状態に復帰する操作が行われた場合（ステップＳ１１：Ｙｅｓ）、制御部４は、アイコンの表示を中止する旨の制御信号を出力端子２０及びＵＳＢケーブル４４等を介して外部モニタ４２に対して出力し、液晶パネル４６に表示されているアイコンを消去し、液晶パネル４６の表示を図４に示す状態に戻す（ステップＳ１２）。
【００２４】
次に、制御部４は、終了指示がなされたか否かの判定を行う（ステップＳ１３）。終了指示がなされない場合（ステップＳ１３：Ｎｏ）、ステップＳ７〜Ｓ１２の処理を繰り返す。一方、終了指示がなされた場合（ステップＳ１３：Ｙｅｓ）、制御部４は、触覚刺激デバイス１８をオフにし、ＬＣＤ表示部１６を消灯すると共に液晶パネル４６の表示を中止する旨の制御信号を出力端子２０及びＵＳＢケーブル４４等を介して外部モニタ４２に対して出力することにより液晶パネル４６の表示を中止して一連の処理を終了する。
【００２５】
この第１の実施の形態に係るカメラ２によれば、ＬＣＤ表示部１６の液晶表示の輝度が低下した状態においても、操作者は触覚刺激デバイス１８の位置を基準にして十字キー５０の位置を認識できるため、操作性が良好な画像表示装置を提供することができる。また、カメラ２に外部モニタ４２が接続されるとタッチパネル１７における接触操作の検出方法を変更し、操作可能領域を十字キー５０の位置する領域に変更するため、操作が単純化され、誤作動を防止することができる。また、外部モニタ４２が接続されるとＬＣＤ表示部１６の液晶表示の輝度を低下させるため、消費電力を低減させることができる。
【００２６】
次に、第２の実施の形態に係るカメラにおける処理について説明する。なお、第２の実施の形態に係るカメラは、第１の実施の形態のようにカメラ２に外部モニタ４２を接続せず、投映部１４により画像を投映するものである。従って、第１の実施の形態と同様の構成についての詳細な説明は省略し、異なる部分のみについて説明する。また、第１の実施の形態と同一の構成には同一の符号を付して説明する。
【００２７】
次に、図７に示すフローチャートを参照して第２の実施の形態に係るカメラ２の処理について説明する。まず、電源スイッチがオンにされると、制御部４は、プログラムメモリ１１からアイコンの画像データを読み出し、アイコンをＬＣＤ表示部１６に表示する。次に、制御部４は、ＬＣＤ表示部１６に表示された画像再生アイコン１６ａ（図３参照）がタッチされると、メモリカード１２から画像データを読み出して画像データに基づく画像をＬＣＤ表示部１６に表示する。これにより、画像の上にアイコンを重ねた画面、即ち、図３に示すような画面がＬＣＤ表示部１６に表示される。ここで、タッチパネル１７は、ＬＣＤ表示部１６の全領域に配置されているため、タッチパネル１７により、操作者によるＬＣＤ表示部１６の全領域に対する接触操作を検出することができる。
【００２８】
次に、制御部４は、投映ボタンが操作されたか否かを判定する（ステップＳ３１）。投映ボタンが操作されると（ステップＳ３１：Ｙｅｓ）、制御部４は、ＬＣＤ表示部１６に表示されている画像の画像データに基づく映像信号を投映部１４に対して出力する。投映部１４は、投映制御回路３６により、入力された映像信号に基づく画像を液晶パネル３２に表示する。また、投映制御回路３６は、投映開始の指示によりＬＥＤ光源３４を点灯して投映光を射出し、投映レンズ３０を介して投映面に映像信号に基づく画像を投映する（ステップＳ３２）。これにより、投映面に図４に示す画面と同様の画面が投映される。
制御部４は、映像信号の出力を検出すると、ＬＣＤ表示部１６の液晶表示の輝度を低下させて消費電力の抑制を図る省電力モードに変更する（ステップＳ３３）。これにより、操作者は、ＬＣＤ表示部１６において図３に示す画面を視認することができなくなる。
【００２９】
次に、制御部４は、タッチパネル１７における接触操作の検出方法を変更する（ステップＳ３４）。例えば、操作者の指が十字キー５０の位置から放れた時に指の接触操作を検出するように変更する。これにより、操作者が十字キー５０の位置を指でタッチした時には接触操作の検出は行われず、ＬＣＤ表示部１６から指を放した時に接触操作の検出が行われる。
【００３０】
次に、制御部４は、ＬＣＤ表示部１６においてタッチパネル１７により操作を行うことができる操作可能領域を変更する（ステップＳ３５）。例えば、操作可能領域を図５に示す十字キー５０の位置する領域に変更する。なお、この場合には、ステップ３３において液晶表示の輝度を低減しているため、操作者はＬＣＤ表示部１６において十字キー５０を視認することができない。
【００３１】
次に、制御部４は、十字キー５０の中央部６０の位置の下層に設けられた触覚刺激デバイス１８をオンにする（ステップＳ３６）。この状態において、十字キー５０が操作されると第１の制御が行われる（ステップＳ３７）。例えば、操作者がＬＣＤ表示部１６の右方向部５２の位置をタッチして放すと、制御部４は、次の画像データに基づく映像信号を投映部１４に対して出力し、投映部１４により次の画像が投映面に投映される。また、左方向部５４の位置をタッチして放すと、同様にして投映部１４により前の画像が投映される。
【００３２】
次に、制御部４は、ＬＣＤ表示部１６において十字キー５０の中央部６０の位置がタッチされたか否かの判定を行う（ステップＳ３８）。即ち、制御部４は、十字キー５０の中央部６０の位置において接触している指が放されたか否かの判定を行う。十字キー５０の中央部６０の位置において接触している指が放されると（ステップＳ３８：Ｙｅｓ）、制御部４は、投映部１４により投映面にアイコン及びカーソルを重ねて投映する（ステップＳ３９）。これにより、図６に示す画面と同様の画面が投映面に投映される。
【００３３】
この状態において、十字キー５０が操作されると第２の制御が行われる（ステップＳ４０）。例えば、操作者がＬＣＤ表示部１６の右方向部５２の位置をタッチして放すと、投映面に投映されたカーソルが右方向に移動する。また、左方向部５４の位置をタッチして放すと、カーソルが左方向に移動する。同様にして、上方向部５６の位置をタッチして放すと、カーソルが上方向に移動し、下方向部５８の位置をタッチして放すと、カーソルが下方向に移動する。このため、操作者は、十字キー５０の右方向部５２、左方向部５４、上方向部５６及び下方向部５８を指でタッチすることにより投映面内においてカーソルを移動させることができる。
【００３４】
この第２の制御において、操作者が十字キー５０を操作して、投映面に投映されたカーソルを所望のアイコンの位置に移動させると、そのアイコンが選択される。次に、十字キー５０の中央部６０を指でタッチして放すと、選択されたアイコンにより表示される処理が行われる。
【００３５】
次に、制御部４は、投映面に投映された画面を元の状態に復帰する操作が行われたか否かの判定を行う（ステップＳ４１）。例えば、ＩＮＦＯアイコン４６ｂが選択された状態において、十字キー５０の中央部６０の位置において接触している指が放されたか否かの判定を行う。投映面に投映された画面を元の状態に復帰する操作が行われた場合（ステップＳ４１：Ｙｅｓ）、制御部４は、アイコンの投映を中止し、投映面に投映された画面を元の状態に戻す（ステップＳ４２）。
【００３６】
次に、制御部４は、終了指示がなされたか否かの判定を行う（ステップＳ４３）。終了指示がなされない場合（ステップＳ４３：Ｎｏ）、ステップＳ３７〜Ｓ４２の処理を繰り返す。一方、終了指示がなされた場合（ステップＳ４３：Ｙｅｓ）、制御部４は、触覚刺激デバイス１８をオフにし、ＬＣＤ表示部１６を消灯すると共に画像の投映を終了し一連の処理を終了する。
【００３７】
この第２の実施の形態に係るカメラ２によれば、ＬＣＤ表示部１６の液晶表示の輝度が低下した状態においても、操作者は触覚刺激デバイス１８の位置を基準にして十字キー５０の位置を認識できるため、操作性が良好な画像表示装置を提供することができる。また、外部モニタ４２を接続することなく投映部１４により画像を投映するため、外部モニタ４２を持ち運ぶ必要がなく、屋外等においても簡単に画像の鑑賞等を行うことができる。
【００３８】
なお、上述の実施の形態においては、操作者は、触覚刺激デバイス１８による摩擦感を指先に感じることにより十字キー５０の位置を認識する場合を例に説明しているが、ＬＣＤ表示部１６の表面に凹凸部分（例えば突起部分）を設け、操作者が凹凸部分の触感により十字キー５０の中央部６０の位置を認識できるようにしてもよい。これにより、触覚刺激デバイス１８を備える必要がなくなり、カメラ２の構造の単純化及びコストダウンを図ることができる。
【００３９】
また、上述の実施の形態においては、ＬＣＤ表示部１６に表示される十字キー５０を操作者が視認することができない場合を例に説明しているが、例えば、省電力モードなどにおいて十字キー５０がＬＣＤ表示部１６に薄く表示されている場合であって、室内が明るい等により操作者にとってＬＣＤ表示部１６が見づらい場合に、上述の実施の形態と同様にタッチパネル１７の接触操作の検出方法を変更し、操作可能領域を変更し、触覚刺激デバイス１８をオンするようにしてもよい。これにより、ＬＣＤ表示部１６の視認性が良くない場合においても操作者に十字キー５０の位置を正確に認識させることができ、カメラ２の操作性を向上させることができる。また、誤作動を防止することができる。
【００４０】
また、上述の実施の形態においては、触覚刺激デバイス１８に所定の交流電圧信号が出力され、操作者がＬＣＤ表示部１６の触覚刺激デバイス１８が設けられている位置をタッチすると指先に摩擦感を感じる場合を例に説明しているが、操作者が摩擦感以外の物理的な感覚を認識できるようにしてもよい。例えば、ＬＣＤ表示部１６の表面に対して微弱な電流を定常的に出力することにより、操作者がＬＣＤ表示部１６の触覚刺激デバイス１８が設けられている位置をタッチすると指先に電気的刺激を感じるようにしてもよい。また、電気信号を振動に変換するアクチュエータを設け、このアクチュエータを利用することにより、操作者がＬＣＤ表示部１６の触覚刺激デバイス１８が設けられている位置をタッチすると指先に振動を感じるようにしてもよい。
【００４１】
また、上述の実施の形態においては、操作者が触覚刺激デバイス１８による摩擦感によりＬＣＤ表示部１６における十字キー５０の位置を認識する場合を例に説明しているが、触覚刺激デバイス１８による摩擦感によりＬＣＤ表示部１６に表示されたアイコンの位置を認識するようにしてもよい。例えば、図８に示すように、ＬＣＤ表示部１６に表示されたアイコンの位置の下層に触覚刺激デバイス１８を設け（破線枠で示された部分参照）、触覚刺激デバイス１８による摩擦感により操作者がＬＣＤ表示部１６におけるアイコンの位置を認識できるようにしてもよい。これにより、操作者は、ＬＣＤ表示部１６の液晶表示が省電力モードに変更された状態においても、ＬＣＤ表示部１６におけるアイコンの位置を認識することができるため、所望のアイコンの位置を指でタッチすることができる。この場合、タッチパネル１７により操作を行うことができる操作可能領域をアイコンが表示されている領域に変更するようにしてもよい。
【００４２】
また、上述の実施の形態においては、制御部４が映像信号の出力を検出したときに、ＬＣＤ表示部１６の液晶表示を省電力モードに変更する場合を例に説明しているが、映像信号の出力を検出しても直ちに省電力モードに変更しないようにしてもよい。例えば、制御部４が映像信号の出力を検出すると、ＬＣＤ表示部１６（図３参照）に例えば十字キーの形をしたアイコンを表示するようにしてもよい。そして、操作者が十字キーの形をしたアイコンをタッチした時にＬＣＤ表示部１６の液晶表示を省電力モードに変更し、タッチパネル１７の接触操作の検出方法を変更し、操作可能領域を変更し、触覚刺激デバイス１８をオンするようにしてもよい。この場合、操作者は、十字キーのアイコンをタッチするまでＬＣＤ表示部１６に図３に示す画面を視認することができ、落ち着いてカメラ２の操作を行うことができる。
【００４３】
また、上述の実施の形態においては、ＬＣＤ表示部１６の液晶表示の輝度が低下した場合に触覚刺激デバイス１８をオンにする場合を例に説明しているが、ＬＣＤ表示部１６の視認性が低下した場合に触覚刺激デバイス１８をオンにするようにしてもよい。例えば、カメラ２の周囲の環境の照度を計測する照度センサを設け、計測した照度に基づいてＬＣＤ表示部１６の視認性が低下したか否かを判定し、ＬＣＤ表示部１６の視認性が低下した場合に触覚刺激デバイス１８をオンにするようにしてもよい。これにより、操作者にとってＬＣＤ表示部１６が見づらい場合に触覚刺激デバイス１８をオンにでき、カメラ２の操作性を向上させることができる。
【００４４】
また、上述の実施の形態においては、映像信号が出力されたことを制御部４が検出した場合に、ＬＣＤ表示部１６の表示を省電力モードに変更する場合を例に説明しているが、処理の順序を入れ替えてもよい。即ち、ＬＣＤ表示部１６の表示が省電力モードに変更された後に映像信号を出力するようにしてもよい。
【００４５】
また、上述の実施の形態においては、ＬＣＤ表示部１６の表示を省電力モードに変更してＬＣＤ表示部１６の輝度を低下させる場合を例に説明しているが、ＬＣＤ表示部１６の液晶表示を消灯するようにしてもよい。
【００４６】
また、第１の実施の形態においては、ＵＳＢケーブル４４を介してカメラ２と外部モニタ４２との間の通信を行っているが、ワイヤレスＵＳＢ通信を用いてもよく、またＵＳＢ通信以外の他の通信手段を用いてもよい。これにより、外部モニタ４２と離れている場合でもカメラ２は外部モニタ４２の液晶パネル４６に画像を表示させることができる。
【００４７】
また、第１の実施の形態においては、投映部１４を有するプロジェクタ機能付きカメラを例に説明しているが、カメラ２はプロジェクタ機能付きカメラでなくてもよい。
【００４８】
また、上述の実施の形態においては、操作者が指でＬＣＤ表示部１６をタッチして操作を行う場合を例に説明しているが、指示棒などの指以外の部材でＬＣＤ表示部１６をタッチして操作を行うようにしてもよい。
【符号の説明】
【００４９】
２…カメラ、４…制御部、８…撮像部、１０…メモリ、１１…プログラムメモリ、１２…メモリカード、１４…投映部、１６…ＬＣＤ表示部、１７…タッチパネル、１８…触覚刺激デバイス、１９…操作部、２０…出力端子、４２…外部モニタ、４４…ＵＳＢケーブル
【図１】
2013168093.tif 000003
【図２】
2013168093.tif 000004
【図３】
2013168093.tif 000005
【図４】
2013168093.tif 000006
【図５】
2013168093.tif 000007
【図６】
2013168093.tif 000008
【図７】
2013168093.tif 000009
【図８】
2013168093.tif 000010